(57)【特許請求の範囲】
【請求項１】
画像を表示する表示面をもつ映像表示素子と、
前記映像表示素子の表示面側に配置され前記表示面に表示された映像を拡大する接眼光学系と、
を有し、
前記接眼光学系は、前記表示面側から射出側に向かって順に、
正屈折力を有し射出側に凸面を向けた単レンズである第１レンズ群と、
負屈折力を有し表示面側と射出側の双方に凹面を向けた両凹単レンズである第２レンズ群と、
正屈折力を有し表示面側と射出側の双方に凸面を向けた両凸単レンズである第３レンズ群と、からなり、
以下の条件式（１）及び（７−１）を満足することを特徴とする
電子ビューファインダー。
０．５０ ＜ Ｄ１２／ＤＩ１ ＜ ３．０ ・・・（１）
−０．２ ＜ＳＦ３＜ ０．２５ ・・・（７−１）
ただし、
ＤＩ１は、前記表示面から前記第１レンズ群の表示面側の面までの光軸上での空気換算距離、
Ｄ１２は、前記第１レンズ群の射出側の面から前記第２レンズ群の入射面側の面までの光軸上の空気換算距離、
であり、
視度が変更可能な場合は、−１ディオプターでの値であり、
ＳＦ３は第３レンズ群のシェイプファクターであり、
第３レンズ群の表示面側の屈折面の近軸曲率半径をｒ３１、第１レンズ群の射出側の屈折面の近軸曲率半径をｒ３２としたときに、
ＳＦ３＝（ｒ３１＋ｒ３２）／（ｒ３１−ｒ３２）
で表される。
【請求項２】
以下の条件式（２）を満足することを特徴とする
請求項１に記載の電子ビューファインダー。
０．９ ＜ｆ１／ｆ＜ ２．４ ・・・（２）
ただし、
ｆ１は、前記第１レンズ群の焦点距離、
ｆは、前記接眼光学系の焦点距離、
であり、
視度が変更可能な場合は、−１ディオプターでの値である。
【請求項３】
前記第２レンズ群は視度調整のために光軸方向に移動することを特徴とする
請求項１または請求項２に記載の電子ビューファインダー。
【請求項４】
以下の条件式（３）を満足することを特徴とする
請求項３に記載の電子ビューファインダー。
−０．９ ＜ｆ２／ｆ＜ −０．２ ・・・（３）
ただし、
ｆ２は、前記第２レンズ群の焦点距離、
ｆは、前記接眼光学系の焦点距離、
であり、
視度が変更可能な場合は、−１ディオプターでの値である。
【請求項５】
以下の条件式（４）を満足することを特徴とする
請求項１乃至請求項４の何れか１項に記載の電子ビューファインダー。
０．３０ ＜ｆ３／ｆ＜ ０．７ ・・・（４）
ただし、
ｆ３は、前記第３レンズ群の焦点距離、
ｆは、前記接眼光学系の焦点距離、
であり、
視度が変更可能な場合は、−１ディオプターでの値である。
【請求項６】
以下の条件式（Ａ）を満足することを特徴とする
請求項１乃至請求項５の何れか１項に記載の電子ビューファインダー。
０．１５ ＜ｆ３／ｆ１＜ ０．６０ ・・・（Ａ）
ただし、
ｆ３は、前記第３レンズ群の焦点距離、
ｆ１は、前記第１レンズ群の焦点距離、
である。
【請求項７】
以下の条件式（５）を満足することを特徴とする
請求項１乃至請求項６の何れか１項に記載の電子ビューファインダー。
０．８ ＜ＳＦ１＜ ５．０ ・・・（５）
ただし、
ＳＦ１は第１レンズ群のシェイプファクターであり、
第１レンズ群の表示面側の屈折面の近軸曲率半径をｒ１１、第１レンズ群の射出側の屈折面の近軸曲率半径をｒ１２としたときに、
ＳＦ１＝（ｒ１１＋ｒ１２）／（ｒ１１−ｒ１２）
で表される。
【請求項８】
以下の条件式（５'）を満足することを特徴とする
請求項７に記載の電子ビューファインダー。
１ ＜ＳＦ１＜ ５．０ ・・・（５'）
【請求項９】
以下の条件式（６）を満足することを特徴とする
請求項１乃至請求項８の何れか１項に記載の電子ビューファインダー。
−０．９５ ＜ＳＦ２＜ ０．２５ ・・・（６）
ただし、
ＳＦ２は第２レンズ群のシェイプファクターであり、
第２レンズ群の表示面側の屈折面の近軸曲率半径をｒ２１、第１レンズ群の射出側の屈折面の近軸曲率半径をｒ２２としたときに、
ＳＦ２＝（ｒ２１＋ｒ２２）／（ｒ２１−ｒ２２）
で表される。
【請求項１０】
前記第２レンズ群と前記第３レンズ群は、共に非球面を有することを特徴とする
請求項１乃至請求項９の何れか１項に記載の電子ビューファインダー。
【発明の詳細な説明】
【技術分野】
【０００１】
本発明は、画像表示装置の表示面に表示された画像を拡大して肉眼で観察する電子ビューファインダーに関するものである。
【背景技術】
【０００２】
従来、カメラのファインダーとして対物光学系により実像を形成し、その実像を接眼光学系により観察するいわゆる実像式ビューファインダーが知られている。実像式ビューファインダーとしては、対物光学系としての撮影光学系によりスクリーンマット上に形成された画像をペンタダハプリズムと接眼光学系を介して観察するものや、撮影光学系とは光学的に独立したファインダーが知られている。
【０００３】
前者のファインダーは、ペンタダハプリズムを配置するスペースを要するため、撮影装置の小型化には不向きである。後者は撮影光学系の光軸とファインダーの対物レンズとの光軸とが離れているため、近距離撮影時においては撮影画像と観察画像との視差が生じてしまう。また、撮影光学系によるピント状態の確認にも不向きである。
【０００４】
最近では、電子表示素子の性能が向上したことで、デジタルカメラやデジタルビデオカメラの分野では、電子表示素子の表示面に表示された画像を接眼光学系で観察する電子ビューファインダーが主流になりつつある。
【０００５】
電子ビューファインダーは、撮影光学系によって撮像素子上に形成される撮影画像の信号を受信して被写体の観察画像を表示する。そのため、撮影画像と観察画像との視差が無く、撮影画像のピント状態も把握できる。加えて、電子表示素子の表示面から射出瞳までの距離を短くできるので、観察画像の視野の確保と小型化の両立に有利となる。
【０００６】
このようなタイプの電子ビューファインダーとして、下記特許文献１−３に記載の電子ビューファインダーが知られている。これら特許文献１−３に示される何れの電子ビューファインダーに用いる接眼光学系も、表示面側から順に、正レンズ、負レンズ、正レンズの３枚構成を採用したものであり、コンパクト化に有利な構成としている。
【先行技術文献】
【特許文献】
【０００７】
【特許文献１】特開２００７−２６４１７９号公報
【特許文献２】特開２００７−５８０４１号公報
【特許文献３】特開２００２−４８９８５号公報
【発明の概要】
【発明が解決しようとする課題】
【０００８】
しかしながら、表示面の小さい表示素子を用いつつ、アイポイントと視野角を確保し観察画像の画質を確保することは難しい。例えば、特許文献１のファインダーはアイポイントがやや短い構成となっている。特許文献２のファインダーは視野角やアイポイントは十分大きいものの、表示面も大きいため小型化には不利な構成となっている。特許文献３のファインダーは視野角がやや小さい構成、もしくは、視野角を確保するためレンズ径を大きくとった構成であり小型化に不利な構成となっている。
【課題を解決するための手段】
【０００９】
上述の課題に鑑み、本発明は、小型化、アイポイントの確保、視野角の確保を行った場
合においても、画質を確保しやすい電子ビューファインダーを提供することを目的とする。そのため、本発明の電子ビューファインダーは、以下の何れかの構成とするものである。
【００１０】
画像を表示する表示面をもつ映像表示素子と、
前記映像表示素子の表示面側に配置され前記表示面に表示された映像を拡大する接眼光学系を有し、
前記接眼光学系は、前記表示面側から射出側に向かって順に、
正屈折力を有し射出側に凸面を向けた単レンズである第１レンズ群と、
負屈折力を有し表示面側と射出側の双方に凹面を向けた両凹単レンズである第２レンズ群と、
正屈折力を有し表示面側と射出側の双方に凸面を向けた両凸単レンズである第３レンズ群とからなり、
以下の条件式（１）を満足することを特徴とする
電子ビューファインダー。
０．５０  ＜  Ｄ１２／ＤＩ１  ＜  ３．０  ・・・（１）
ただし、
ＤＩ１は、前記表示面から前記第１レンズ群の表示面側の面までの光軸上での空気換算距離、
Ｄ１２は、前記第１レンズ群の射出側の面から前記第２レンズ群の入射面側の面までの光軸上の空気換算距離、
であり、視度が変更可能な場合は、−１ディオプターでの値である。
【００１１】
以下に、本発明の電子ビューファインダーが、上記構成を採用する理由と作用効果を説明する。
【００１２】
本発明の電子ビューファインダーは、接眼レンズ系中のレンズが表示面側から順に正・負・正の屈折力の３枚の単レンズで構成しているため、コンパクト化に有利である。このような構成の場合、表示面側の正レンズ群の屈折力を大きくしすぎると、アイポイントを長くできなくなる。
【００１３】
そのため、本発明の電子ビューファインダーでは、接眼光学系の主たる屈折力を射出側の正レンズ群（第３レンズ群）に負担させるように射出側の正レンズ群を両凸形状の正レンズとしている。
【００１４】
一方、射出側の正レンズ群の屈折力を大きくすると小型化や視野角の確保には有利となるが、球面収差やコマ収差などの諸収差が発生しやすくなる。これらの収差補正のためには屈折力の大きい射出側の正レンズ群の近くに負レンズ群を配置することが好ましい。
【００１５】
負レンズ群により、正レンズ群での収差をキャンセルできると共に、軸外光束を光軸から離れる方向に屈折させてアイポイントと視野角を確保することが可能となる。負レンズ群を両凹形状のレンズとし、負の屈折力を両面で負担することで、球面収差、コマ収差、非点収差などの収差補正機能の確保、及び、アイポイントの確保に有利となる。
【００１６】
そして、負レンズ群から離れた正屈折力の第１レンズ群の射出側の面を凸面とすることで、第１、第２レンズ群間の空気レンズによる収差や軸外収差を抑えやすくなる。
【００１７】
このような構成において、条件式（１）は、光学系の小型化と視野角の確保とを両立しやすくするための好ましい条件である。
【００１８】
下限０．５０を下回らないようにして第１レンズ群と第２レンズ群との間隔を確保することで、第２レンズ群は第３レンズ群に近づけられ、第３レンズ群の屈折力を大きくしても球面収差等の低減に有利となると共に、第２、第３レンズ群のみでは補正しきれない軸外収差の補正を第１レンズ群で行い易くなる。
【００１９】
加えて、第１レンズ群を表示面に近づけることで、第１レンズ群の有効径の肥大化を抑えやすくなり、小型化につながる。
【００２０】
上限３．０を上回らないようにして正屈折力の第１レンズ群を表示面から適度に離して、軸上光束及び軸外光束の径を適度に確保しておくことで、第１レンズ群での収差補正機能を確保しやすくなると共に、第１レンズ群に付着する塵を見え難くできる。もしくは、第２レンズ群への光線の入射高を維持しやすくなり、視野角の確保を行い易くなる。
【００２１】
上述の電子ビューファインダーにおいて、更に以下のいずれかの構成を満足することがより好ましい。なお、以下の構成においても、視度が変更可能な場合は、−１ディオプターでの構成とする。
【００２２】
本発明の電子ビューファインダーは、さらに以下の条件式（２）を満足することを特徴としている。
０．９  ＜ｆ１／ｆ＜  ２．４  ・・・（２）
ただし、
ｆ１は、前記第１レンズ群の焦点距離、
ｆは、前記接眼光学系の焦点距離、
であり、視度が変更可能な場合は、−１ディオプターでの値である。
【００２３】
下限値０．９を下回らないように、第１レンズ群の屈折力を適度に抑えることで、像面湾曲及び歪曲収差の補正過剰を抑えやすくなる。加えて視野角の確保に有利となる。
【００２４】
上限値２．４を上回らないように、第１レンズ群の屈折力を適度に確保することで、第２、第３レンズ群での残存する収差（主に軸外収差）を補正する機能を確保しやすくなる。加えて、全長のコンパクト化に有利となる。
【００２５】
さらに本発明の電子ビューファインダーは、前記第２レンズ群は視度調整のために光軸方向に移動することを特徴としている。
【００２６】
この構成によれば、第１レンズ群と第３レンズ群が固定であるため、防塵性に優れたものとなる。
【００２７】
本発明の電子ビューファインダーは、さらに以下の条件式（３）を満足することを特徴としている。
−０．９  ＜ｆ２／ｆ＜  −０．２  ・・・（３）
ただし、
ｆ２は、前記第２レンズ群の焦点距離、
ｆは、前記接眼光学系の焦点距離、
であり、視度が変更可能な場合は、−１ディオプターでの値である。
【００２８】
下限値−０．９を下回らないように、第２レンズ群の負の屈折力を確保することで、第３レンズ群で発生する収差をキャンセルする機能を確保しやすくなる。視度調整時の第２レンズ群の移動量を抑えやすくなりコンパクト化に有利となる。
【００２９】
上限値−０．２を上回らないように、第２レンズの負の屈折力を適度に抑えることで、視度調整時の移動による収差変動を抑えやすくなる。
【００３０】
本発明の電子ビューファインダーは、さらに以下の条件式（４）を満足することを特徴としている。
０．３０  ＜ｆ３／ｆ＜  ０．７  ・・・（４）
ただし、
ｆ３は、前記第３レンズ群の焦点距離、
ｆは、前記接眼光学系の焦点距離、
であり、視度が変更可能な場合は、−１ディオプターでの値である。
【００３１】
下限値０．３０を下回らないように、第３レンズ群の屈折力を適度に抑えることで、収差低減とアイポイントの確保に有利となる。また、上限値０．７を上回らないように、第３レンズ群の屈折力を確保することで、視野角の確保に有利となる。
【００３２】
本発明の電子ビューファインダーは、さらに以下の条件式（Ａ）を満足することを特徴としている。
０．１５  ＜ｆ３／ｆ１＜  ０．６０  ・・・（Ａ）
ただし、
ｆ３は、前記第３レンズ群の焦点距離、
ｆ１は、前記第１レンズ群の焦点距離、
である。
【００３３】
この構成は、正屈折力の第１レンズ群と正屈折力の第３レンズ群との好ましい屈折力バランスを特定するものである。
【００３４】
下限値０．１５を下回らないように、第３レンズ群の屈折力を適度に抑え、第１レンズ群の屈折力を適度に確保することで、収差低減とアイポイントの確保と小型化に有利となる。上限値０．６０を上回らないように、第３レンズ群の屈折力を確保し、第１レンズ群の屈折力を抑えることで、視野角の確保に有利となる。
【００３５】
本発明の電子ビューファインダーは、さらに以下の条件式（５）を満足することを特徴としている。
０．８  ＜ＳＦ１＜  ５．０  ・・・（５）
ただし、
ＳＦ１は第１レンズ群のシェイプファクターであり、
第１レンズ群の表示面側の屈折面の近軸曲率半径をｒ１１、第１レンズ群の射出側の屈折面の近軸曲率半径をｒ１２としたときに、
ＳＦ１＝（ｒ１１＋ｒ１２）／（ｒ１１−ｒ１２）
で表される。
【００３６】
下限値０．８を下回らないようにして、表示面側の面の屈折力が強い正屈折力にならないようにすることで、第２レンズ群での光線入射高を確保しやすくなり、視野角及びアイポイントの確保に有利となる。上限値５．０を上回らないようにして、表示面側の面が強い負屈折力にならないようにすることで、光学系の全長のコンパクト化に有利となる。
【００３７】
本発明の電子ビューファインダーは、さらに以下の条件式（５'）を満足することを特
徴としている。
１  ＜ＳＦ１＜  ５．０  ・・・（５'）
【００３８】
第１レンズ群をメニスカス形状にすることで、レンズの中肉を厚くすることなくレンズのコバ厚を確保することができ、光学系のコンパクト化に有利となる。また、緩やかに光線を曲げることで、収差の発生を抑えることができる。
【００３９】
本発明の電子ビューファインダーは、さらに以下の条件式（６）を満足することを特徴としている。
−０．９５  ＜ＳＦ２＜  ０．２５  ・・・（６）
ただし、
ＳＦ２は第２レンズ群のシェイプファクターであり、
第２レンズ群の表示面側の屈折面の近軸曲率半径をｒ２１、第１レンズ群の射出側の屈折面の近軸曲率半径をｒ２２としたときに、
ＳＦ２＝（ｒ２１＋ｒ２２）／（ｒ２１−ｒ２２）
で表される。
【００４０】
下限値−０．９５を下回らないように、射出側の面の屈折力を確保することで、表示側面での軸外収差発生を抑えつつ第３レンズ群へ入射する軸外光線を高くでき、視野角の確保及びアイポイントの確保につながる。
【００４１】
上限値０．２５を上回らないように、射出側の面の屈折力を適度に抑えることで、軸外収差の発生を抑えやすくなるとともに、レンズ径の小型化に有利となる。
【００４２】
本発明の電子ビューファインダーは、さらに以下の条件式（７）を満足することを特徴としている。
−０．２  ＜ＳＦ３＜  ０．３５  ・・・（７）
ただし、
ＳＦ３は第３レンズ群のシェイプファクターであり、
第３レンズ群の表示面側の屈折面の近軸曲率半径をｒ３１、第１レンズ群の射出側の屈折面の近軸曲率半径をｒ３２としたときに、
ＳＦ３＝（ｒ３１＋ｒ３２）／（ｒ３１−ｒ３２）
で表される。
【００４３】
下限値−０．２を下回らないように、射出側面の屈折力を確保することで、視野角の確保に有利となる。
【００４４】
上限値を０．３５を上回らないように、射出側面の屈折力を適度に抑えることで、アイポイントの確保につながる。
【００４５】
さらに本発明の電子ビューファインダーは、前記第２レンズ群と前記第３レンズ群は共に非球面を有することを特徴としている。
【００４６】
この構成によれば、高次の球面収差やコマ収差などの低減にいっそう有利となる。
【００４７】
上述の各構成は複数を同時に満足することがより好ましい。
【００４８】
また、各条件式について、下限値、上限値を以下のように限定することで、機能をより確実にすることが可能となり、好ましい。
【００４９】
条件式（１）について、
下限値を０．８５、０．９５、更には１．０とすることがより好ましい。
上限値を２．７、更には２．５とすることがより好ましい。
【００５０】
条件式（２）について、
下限値を１．０、更には１．１とすることがより好ましい。
上限値を２．２、更には２．０とすることがより好ましい。
【００５１】
条件式（３）について、
下限値を−０．８、更には−０．７とすることがより好ましい。
上限値を−０．２５、更には−０．３とすることがより好ましい。
【００５２】
条件式（４）について、
下限値を  ０．３５、更には０．３９とすることがより好ましい。
上限値を  ０．６５、更には０．６１とすることがより好ましい。
【００５３】
条件式（Ａ）について、
下限値を  ０．１７、更には０．１９とすることがより好ましい。
上限値を  ０．５７、更には０．５４とすることがより好ましい。
【００５４】
条件式（５）、（５'）について、
下限値を０．８５、更には０．９、更には１．０とすることがより好ましい。
上限値を４．０、更には３．６とすることがより好ましい。
【００５５】
条件式（６）について、
下限値を−０．９０、更には  −０．８８とすることがより好ましい。
上限値を０．２０、更には０．１５とすることがより好ましい。
【００５６】
条件式（７）について、
下限値を−０．１、更には−０．０３とすることがより好ましい。
上限値を０．２５、更には０．１９とすることがより好ましい。
【発明の効果】
【００５７】
本発明によれば、小型化、アイポイントの確保、視野角の確保を行った場合においても、画質を確保しやすい電子ビューファインダーを提供できる。
【図面の簡単な説明】
【００５８】
【図１】本発明の実施例１の電子ビューファインダーを展開して光軸に沿ってとった断面図。
【図２】本発明の実施例２の電子ビューファインダーを展開して光軸に沿ってとった断面図。
【図３】本発明の実施例３の電子ビューファインダーを展開して光軸に沿ってとった断面図。
【図４】本発明の実施例４の電子ビューファインダーを展開して光軸に沿ってとった断面図。
【図５】本発明の実施例５の電子ビューファインダーを展開して光軸に沿ってとった断面図。
【図６】本発明の実施例６の電子ビューファインダーを展開して光軸に沿ってとった断面図。
【図７】本発明の実施例７の電子ビューファインダーを展開して光軸に沿ってとった断面図。
【図８】本発明の実施例１の接眼光学系の収差図。
【図９】本発明の実施例２の接眼光学系の収差図。
【図１０】本発明の実施例３の接眼光学系の収差図。
【図１１】本発明の実施例４の接眼光学系の収差図。
【図１２】本発明の実施例５の接眼光学系の収差図。
【図１３】本発明の実施例６の接眼光学系の収差図。
【図１４】本発明の実施例７の接眼光学系の収差図。
【図１５】本発明に係る電子ビューファインダーを用いた撮像装置。
【発明を実施するための形態】
【００５９】
図１〜図１４を用い、本発明の電子ビューファインダーについて説明を行う。図１〜図７は、それぞれ実施例１〜実施例７の電子ビューファインダーを説明するための図である。各図において（ａ）は−１ディオプター時、（ｂ）は＋１ディオプター時、（ｃ）は−３ディオプター時の状態が示されている。また、図８〜図１４は、それぞれ実施例１〜実施例６に対応した接眼光学系の収差図を示した図である。
【００６０】
図１は、本発明の実施例１の電子ビューファインダーを展開して光軸に沿ってとった断面図である。
【００６１】
実施例１の電子ビューファインダーは、物体像が表示される液晶表示素子（ＬＣＤ）などの映像表示素子Ｉと、接眼光学系Ｏとを含んで構成されている。図中、Ｅはアイポイント（仮想絞り）、Ｃ１、Ｃ２はカバーガラスを示している。
【００６２】
接眼光学系Ｏは、映像表示素子Ｉが設置された表示面（物体側）から観察側（射出側）に向かって順に、第１レンズ群Ｇ１、第２レンズ群Ｇ２、第３レンズ群Ｇ３とで構成されている。
【００６３】
第１レンズ群Ｇ１は、正屈折力を有し射出側に凸面を向けた単レンズＬ１にて構成されている。
【００６４】
第２レンズ群Ｇ２は、負屈折力を有し表示面側と射出側の双方に凹面を向けた両凹単レンズＬ２にて構成されている。
【００６５】
第３レンズ群Ｇ３は、正屈折力を有し表示面側と射出側の双方に凸面を向けた両凸単レンズＬ３にて構成されている。
【００６６】
第１レンズ群Ｇ１を構成するレンズＬ１の射出側、第２、第３レンズ群を構成するレンズＬ１、Ｌ２の両面は非球面形状となっている。
【００６７】
この実施例では、映像表示素子Ｉの表示面に設けられたカバーガラスＣ１を考慮して設計を行っている。また、接眼光学系Ｏの射出側には射出窓部材Ｃ２が設けられており、光学系内部へ進入する塵を防いでいる。
【００６８】
視度調整は、第２レンズ群Ｇ２（レンズＬ２）を一体で光軸方向に移動させて行う。第２レンズ群Ｇ２は、視度を増加させる場合には物体側に移動され、視度を減少させる場合には射出側に移動される。
【００６９】
図２〜図７は、それぞれ実施例２〜実施例７についての接眼光学系を展開して光軸に沿ってとった断面図である。これら実施例の接眼光学系の構成は実施例１で説明した構成と同様である。
【００７０】
以下に上記実施例１〜７の各種数値データ（面データ、非球面データ、可変間隔データ
、各種データ１、各種データ２）を示す。
【００７１】
面データには、面番号毎に各レンズ面（光学面）の曲率半径ｒ、面間隔ｄ、各レンズ（光学媒質）のｄ線（５８７．６ｎｍ）に対する屈折率ｎｄ、各レンズ（光学媒質）のｄ線のアッベ数νｄが示されている。曲率半径ｒ、面間隔ｄの単位はいずれもミリメートル（ｍｍ）である。面データ中、面番号の右側に付されたアスタリスク"＊"は、そのレンズ面が非球面形状であることを、また、曲率半径に記載する"ＩＮＦ"は、無限大であることを示している。
【００７２】
非球面データには、面データ中、非球面形状としたレンズ面に関するデータが示されている。非球面形状は、ｘを光の進行方向を正とした光軸とし、ｙを光軸と直交する方向にとると下記の式にて表される。
ｘ＝（ｙ2／ｒ）／［１＋｛１−（Ｋ＋１）（ｙ／ｒ）2｝1/2］
＋Ａ４ｙ4＋Ａ６ｙ6＋Ａ８ｙ8＋Ａ１０ｙ10＋…
ただし、ｒは近軸曲率半径、Ｋは円錐係数、Ａ４、Ａ６、Ａ８、Ａ１０はそれぞれ４次、６次、８次、１０次の非球面係数である。なお、記号"Ｅ"は、それに続く数値が１０を底にもつ、べき指数であることを示している。例えば「１．０Ｅ−５」は「１．０×１０-5」を意味している。
【００７３】
可変間隔データは、視度調整において、第２レンズ群Ｇ２の移動によって変化する面間隔ｄを示したデータであって、−１ディオプター時、＋１ディオプター時、−３ディオプター時の値が示されている。単位は面間隔ｄと同様、ミリメートル（ｍｍ）としている。
【００７４】
各種データ１には、視度調整において、第２レンズ群Ｇ２の移動によって変化する接眼光学系Ｏの視野角と、−１ディオプター時における接眼光学系全系の焦点距離が示されている。視野角には度数法による角度単位（ｄｅｇ）が用いられ、焦点距離の単位はミリメートル（ｍｍ）としている。
【００７５】
各種データ２には、第１レンズ群Ｇ１の焦点距離Ｆ１、第２レンズ群Ｇ２の焦点距離Ｆ２、第３レンズ群Ｇ３の焦点距離Ｆ３、全長、瞳径、表示面最大高が示されている。いずれの単位もミリメートル（ｍｍ）としている。なお、全長は、映像表示素子Ｉの表示面から射出窓部材Ｃ２の射出側の面までの距離である。
【００７６】
数値実施例１
単位      ｍｍ
面データ
面番号              ｒ             ｄ           ｎｄ         νｄ
1（表示面）     INF            1.2        1.51633        64.14
2               INF         3.5662
3          -24.4443         2.5167         1.5311        55.91
4*         -13.7621      D1（可変）
5*          -6.0312         1.1189        1.58423        30.49
6*          88.5946      D2（可変）
7*          12.9282         5.8826         1.5311        55.91
8*          -9.0512            0.5
9               INF              1        1.51633        64.14
10               INF          10.63
11（仮想絞り）   INF
非球面データ
第４面
K=0
A4＝-4.7799E-05
A6＝-1.0949E-06
第５面
K=-0.0705
A4＝1.5908E-04
A6＝-2.6296E-06
A8＝-1.1587E-07
A10＝2.0042E-08
第６面
K=0
A4＝-2.2223E-04
A6＝-1.7524E-06
A8＝9.5244E-08
第７面
K=-1.5239
A4＝-2.4953E-04
A6＝2.6507E-06
第８面
K=-1.0593
A4＝3.1039E-05
A6＝-2.0662E-07
A8＝1.6950E-08
可変間隔データ
視度               -1           +1           -3
D1（可変）    10.8461     10.57626     11.11701
D2（可変）      1.498      1.76784      1.22709
各種データ１
視度               -1           +1           -3
視野角  27.14948 27.55849 26.7499
焦点距離         27.8385  26.48192         29.32618
各種データ２
F1             54.817
F2             -9.623
F3             11.050
全長          28.1285
瞳径                8
表示面最大高      6.6
【００７７】
数値実施例２
単位      ｍｍ
面データ
面番号              ｒ             ｄ           ｎｄ         νｄ
1（表示面）    INF             1.2        1.51633        64.14
2              INF          3.8658
3         -30.3444          2.6167         1.5311        55.91
4*        -14.3418       D1（可変）
5*         -6.2654          1.6929        1.63493         23.9
6*         86.7763       D2（可変）
7*         12.3096          6.0429         1.5311        55.91
8*         -9.0739             0.5
9              INF               1        1.51633        64.14
10              INF           10.63
11（仮想絞り）  INF
非球面データ
第４面
K=0
A4＝-6.2451E-05
A6＝-7.5988E-07
第５面
K=-0.0391
A4＝2.0718E-04
A6＝-4.0331E-06
A8＝-1.0847E-07
A10＝1.4867E-08
第６面
K=0
A4＝-1.2132E-04
A6＝-3.9587E-06
A8＝8.4726E-08
第７面
K=-1.5411
A4＝-2.5949E-04
A6＝2.4788E-06
第８面
K=-1.0561
A4＝2.8084E-05
A6＝-3.1062E-07
A8＝1.5796E-08
可変間隔データ
視度               -1           +1           -3
D1（可変）    9.92874      9.66717     10.19309
D2（可変）    1.27576      1.53732       1.0114
各種データ１
視度               -1           +1           -3
視野角       27.40246     27.82424     26.98764
焦点距離      27.5189     26.19075     28.98129
各種データ２
F1             48.457
F2             -9.139
F3             10.904
全長          28.1227
瞳径                8
表示面最大高      6.6
【００７８】
数値実施例３
単位      ｍｍ
面データ
面番号              ｒ             ｄ           ｎｄ         νｄ
1（表示面）    INF             1.2        1.51633        64.14
2              INF          5.0643
3         -193.619          3.5845         1.5311        55.91
4*         -13.908       D1（可変）
5*        -14.5787          1.2973        1.63493         23.9
6*         28.2528       D2（可変）
7*         13.0714          6.1199         1.5311        55.91
8*        -12.2836            0.5
9              INF              1         1.51633        64.14
10              INF          10.63
11（仮想絞り）  INF
非球面データ
第４面
K=0
A4＝5.9071E-05
A6＝-1.5590E-07
第５面
K=0.4606
A4＝-2.1400E-05
A6＝-1.9759E-06
A8＝3.5240E-08
A10＝-1.3484E-10
第６面
K=0
A4＝-1.5185E-04
A6＝-7.1753E-07
A8＝1.6589E-08
第７面
K=-0.2048
A4＝-1.9028E-04
A6＝8.0444E-07
第８面
K=-1.2892
A4＝2.3330E-05
A6＝-1.7513E-08
A8＝3.1313E-09
可変間隔データ
視度               -1           +1           -3
D1（可変）   10.20855      9.81257     10.61034
D2（可変）    1.13492       1.5309      0.73313
各種データ１
視度               -1           +1           -3
視野角         32.354     32.80908     31.90551
焦点距離     22.72159     22.38914     23.03797
各種データ２
F1             28.020
F2            -14.970
F3             13.013
全長          30.1094
瞳径                8
表示面最大高      6.6
【００７９】
数値実施例４
単位      ｍｍ
面データ
面番号              ｒ             ｄ           ｎｄ         νｄ
1（表示面）     INF            2.2        1.51633        64.14
2               INF          4.179
3          -83.4632         3.4032         1.5311        55.91
4*          -13.325      D1（可変）
5*          -9.5679         1.0959        1.58423        30.49
6*          18.6744      D2（可変）
7*          11.6044         6.6962         1.5311        55.91
8*         -10.2439            0.5
9               INF              1        1.51633        64.14
10               INF          10.63
11（仮想絞り）   INF
非球面データ
第４面
K=0
A4＝3.8711E-05
A6＝-5.1670E-07
第５面
K=0.1468
A4＝-2.8832E-04
A6＝-5.9527E-06
A8＝2.0118E-07
A10＝1.4619E-10
第６面
K=0
A4＝-6.5012E-04
A6＝5.9375E-06
A8＝8.0525E-10
第７面
K=-0.2956
A4＝-3.5388E-04
A6＝2.8685E-06
A8＝-1.2740E-08
第８面
K=-1.2025
A4＝-7.0040E-07
A6＝8.1154E-07
A8＝-3.7556E-09
可変間隔データ
視度               -1           +1           -3
D1（可変）     8.3594      8.06511       8.6579
D2（可変）    1.36631       1.6606      1.06781
各種データ１
視度               -1           +1           -3
視野角       31.36965     31.84631     30.89913
焦点距離     23.62141     22.97973     24.28087
各種データ２
F1            29.362
F2           -10.676
F3            11.463
全長           28.80
瞳径               8
表示面最大高     6.6
【００８０】
数値実施例５
単位      ｍｍ
面データ
面番号              ｒ             ｄ           ｎｄ         νｄ
1（表示面）     INF            2.2        1.51633        64.14
2               INF         3.6025
3          -52.8795         3.2244         1.5311        55.91
4*          -13.368      D1（可変）
5*         -10.2907         1.6699        1.58423        30.49
6*          10.8153      D2（可変）
7*           9.5458         6.7887         1.5311        55.91
8*          -9.4351            0.5
9               INF              1        1.51633        64.14
10               INF          10.63
11（仮想絞り）   INF
非球面データ
第４面
K=0
A4＝2.0551E-05
A6＝-7.6088E-07
A8＝-1.3035E-09
第５面
K=0.1827
A4＝-6.4116E-04
A6＝-7.4943E-06
A8＝3.0238E-07
A10＝1.4191E-09
第６面
K=0
A4＝-1.1254E-03
A6＝1.2022E-05
A8＝-3.5207E-08
第７面
K=-0.2928
A4＝-5.3812E-04
A6＝4.6661E-06
A8＝-3.4015E-08
第８面
K=-1.2644
A4＝-4.4727E-05
A6＝2.0957E-06
A8＝-2.0184E-08
可変間隔データ
視度               -1           +1           -3
D1（可変）    8.77025      8.54036       9.0048
D2（可変）    1.04424      1.27413       0.8097
各種データ１
視度               -1           +1           -3
視野角       30.03267     30.51852     29.54975
焦点距離     24.77163     23.91972     25.68115
各種データ２
F1             32.759
F2             -8.770
F3             10.200
全長            28.80
瞳径                8
表示面最大高      6.6
【００８１】
数値実施例６
単位      ｍｍ
面データ
面番号              ｒ             ｄ           ｎｄ         νｄ
1（表示面）     INF            2.2        1.51633        64.14
2               INF         3.6548
3          -48.6977         3.2424         1.5311        55.91
4*         -13.3676      D1（可変）
5*         -12.0263         1.7118        1.63493         23.9
6*           9.9316      D2（可変）
7*           8.9723         6.9311         1.5311        55.91
8*          -9.1834            0.5
9               INF              1        1.51633        64.14
10               INF          10.63
11（仮想絞り）   INF
非球面データ
第４面
K=0
A4＝2.8526E-05
A6＝-7.9114E-07
A8＝-2.6652E-09
第５面
K=0.1827
A4＝-8.0034E-04
A6＝-1.0214E-05
A8＝4.9682E-07
A10＝-2.4795E-09
第６面
K=0
A4＝-1.2674E-03
A6＝1.3403E-05
A8＝-5.4074E-08
第７面
K=-0.2930
A4＝-6.0278E-04
A6＝5.4446E-06
A8＝-4.4447E-08
第８面
K=-1.2648
A4＝-6.9483E-05
A6＝3.1750E-06
A8＝-3.0079E-08
可変間隔データ
視度               -1           +1           -3
D1（可変）    8.60916      8.39667      8.82633
D2（可変）    0.95073      1.16322      0.73356
各種データ１
視度               -1           +1           -3
視野角       29.89821     30.39744     29.40155
焦点距離     24.88055     23.97893     25.85226
各種データ２
F1             33.623
F2             -8.315
F3              9.849
全長            28.80
瞳径                8
表示面最大高      6.6
【００８２】
数値実施例７
単位      ｍｍ
面データ
面番号              ｒ             ｄ           ｎｄ         νｄ
1（表示面）     INF            1.2        1.51633        64.14
2               INF         7.1419
3          192.1326         3.5053         1.5311        55.91
4*         -14.7934      D1（可変）
5*         -11.9229         1.1348        1.58423        30.49
6*          31.0424      D2（可変）
7*          14.6880         5.6499         1.5311        55.91
8*         -12.5041            0.5
9               INF              1        1.51633        64.14
10               INF          10.63
11（仮想絞り）   INF
非球面データ
第４面
K=0
A4＝7.7534E-05
A6＝-1.2380E-07
第５面
K=0.4491
A4＝6.3929E-05
A6＝-3.1571E-06
A8＝8.9801E-08
A10＝-5.2968E-10
第６面
K=0
A4＝-1.9433E-04
A6＝4.6417E-07
A8＝1.1097E-08
第７面
K=0.0831
A4＝-1.6686E-04
A6＝1.0855E-06
第８面
K=-1.2539
A4＝3.7029E-05
A6＝2.0015E-07
A8＝3.6874E-09
可変間隔データ
視度               -1           +1           -3
D1（可変）    8.35959       7.9374       8.7867
D2（可変）      1.618      2.04018      1.19088
各種データ１
視度               -1           +1           -3
視野角       32.19684     32.60996     31.79149
焦点距離     22.91935     22.57158     23.24455
各種データ２
F1             26.016
F2            -14.602
F3             13.705
全長          30.1095
瞳径                8
表示面最大高      6.6
【００８３】
以上の実施例１〜実施例７の収差図をそれぞれ図８〜図１４に示す。これら収差図において（ａ）は−１ディオプター時、（ｂ）は＋１ディオプター時、（ｃ）は−３ディオプター時の球面収差（ＳＡ）、非点収差（ＡＳ）、歪曲収差（ＤＴ）、倍率色収差（ＣＣ）を示す。なお、各図中、"φ"は瞳径を、"ＦＩＹ"は表示面最大高を示している。
【００８４】
上記実施例１〜実施例７について、各条件式の値を下記に示しておく。
【００８５】
実施例          １       ２       ３       ４       ５       ６       ７
Ｄ１２／ＤＩ１   2.49     2.13     1.74     1.48     1.74     1.69     1.05
ｆ１／ｆ         1.97     1.76     1.23     1.24     1.32     1.35     1.14
ｆ２／ｆ        -0.35    -0.33    -0.66    -0.45    -0.35    -0.33    -0.64
ｆ３／ｆ         0.40     0.40     0.57     0.49     0.41     0.40     0.60
ｆ３／ｆ１       0.20     0.23     0.46     0.39     0.31     0.29     0.53
ＳＦ１           3.58     2.79     1.15     1.38     1.68     1.76     0.86
ＳＦ２          -0.87    -0.87    -0.32    -0.32    -0.02     0.1     -0.44
ＳＦ３           0.18     0.15     0.03     0.06     0.01    -0.01     0.08
【００８６】
図１５は、本発明の電子ビューファインダーを用いた撮像装置の一例であるデジタルカメラの構成を示す図である。図１５において、符号１０は撮像装置であるデジタルカメラで、撮像光学系１と、フィルター２と、撮像素子３と、コントローラー４と、内蔵メモリー５と、電子ビューファインダー６と、インターフェイス７とより構成されている。
【００８７】
上記撮像装置において、撮像光学系１は複数の光学素子（レンズ等）にて構成されている。物体より発した光は、この撮像光学系１により集光され、この集光位置に物体像が形成される。そして、この集光位置には、ＣＣＤ等の撮像素子３（受光面）が配置されている。撮像素子３は、規則正しく配置された光電変換素子の集まりよりなっている。また、モアレ現象の発生を防止するために、ローパス効果を持つフィルター２が撮像光学系１と撮像素子３の間に配置されている。また、赤外光をカットするための赤外カットフィルターを配置することもある。
【００８８】
撮像素子３に入射した光束は、その光電変換素子により電気信号（画像信号）に変換される。この電気信号は、コントローラー４に入力される。ここで、コントローラー４により、ガンマー補正や画像圧縮処理等の信号処理が電気信号に対して行なわれる。信号処理が施された電気信号は、内蔵メモリー５やインターフェイス７を介してパーソナルコンピューター９等に出力される。
【００８９】
電子ビューファインダー６は、照明系、画像表示素子（図１５には示していない）及び接眼光学系（接眼レンズ）等で構成されている。ここで、接眼光学系には、本実施形態の接眼光学系、電子ビューファインダーが用いられている。また、表示面には、画像表示素子が配置されている。この画像表示素子は、コントローラー４によって制御されている。このような構成により、電子ビューファインダー６では、撮像しようとする物体の像や撮像された画像を観察者が観察し得るようになっている。また、内蔵メモリー５から補助メモリー８へ画像データを送ることできる。一方、インターフェイス７からは同じ画像データをパーソナルコンピューター９へ送ることができる。
【００９０】
以上、本発明の種々の実施形態について説明したが、本発明はこれらの実施形態のみに限られるものではなく、それぞれの実施形態の構成を適宜組み合わせて構成した実施形態も本発明の範疇となるものである。
【符号の説明】
【００９１】
１…撮像光学系
２…フィルター
３…撮像素子
４…コントローラー
５…内蔵メモリー
６…電子ビューファインダー
７…インターフェイス
８…補助メモリー
９…パーソナルコンピューター
１０…撮像装置（デジタルカメラ）
【図１】
0005591027.tif 000002
【図２】
0005591027.tif 000003
【図３】
0005591027.tif 000004
【図４】
0005591027.tif 000005
【図５】
0005591027.tif 000006
【図６】
0005591027.tif 000007
【図７】
0005591027.tif 000008
【図８】
0005591027.tif 000009
【図９】
0005591027.tif 000010
【図１０】
0005591027.tif 000011
【図１１】
0005591027.tif 000012
【図１２】
0005591027.tif 000013
【図１３】
0005591027.tif 000014
【図１４】
0005591027.tif 000015
【図１５】
0005591027.tif 000016